(57)【要約】      （修正有）【課題】スマート機器を無線充電することができ、外部温度を表示することもできる温度表示付きの無線充電装置を提供する。【解決手段】温度表示付きの無線充電装置１０は、電源アセンブリが設けられるベース１と、無線充電アセンブリと、表示画面２と、ベース１に設けられた回路基板と、温度検出モジュールとを含み、表示画面２と温度検出モジュールは、それぞれ回路基板に電気的に接続され、無線充電アセンブリと回路基板は、それぞれ電源アセンブリに電気的に接続される。無線充電アセンブリによりスマート機器を充電するとともに、温度検出モジュールにより外部の温度を検出し、表示画面２により温度を表示する。【選択図】図１
0003228973.tif 000002
【実用新案登録請求の範囲】
【請求項１】
電源アセンブリが設けられるベースと、無線充電アセンブリと、表示画面と、ベースに設けられた回路基板と、温度検出モジュールとを含み、  前記表示画面と温度検出モジュールは、それぞれ回路基板に電気的に接続され、  前記無線充電アセンブリと回路基板は、それぞれ電源アセンブリに電気的に接続される、ことを特徴とする温度表示付きの無線充電装置。
【請求項２】
ベースに設けられるスマートフォン充電ブラケットをさらに含み、  前記無線充電アセンブリは、スマートフォン充電ブラケット内に設けられる第１の無線充電モジュールを含む、ことを特徴とする請求項１に記載の温度表示付きの無線充電装置。
【請求項３】
前記スマートフォン充電ブラケットは、前記ベースに斜めに設置され、  前記ベースには、スマートフォン充電ブラケット前端に位置する滑り止め溝が設けられる、ことを特徴とする請求項２に記載の温度表示付きの無線充電装置。
【請求項４】
前記表示画面は、前記スマートフォン充電ブラケットに設けられ、  前記スマートフォン充電ブラケットには、取付溝が設けられ、  前記温度表示の無線充電装置は、取付溝に固定されたレンズをさらに含み、  前記表示画面は、前記取付溝に固定されレンズの内側に位置する、ことを特徴とする請求項２に記載の温度表示付きの無線充電装置。
【請求項５】
前記スマートフォン充電ブラケットには、スマートウォッチ充電カードスロットがさらに設けられる、ことを特徴とする請求項２に記載の温度表示付きの無線充電装置。
【請求項６】
ベースに設けられる第２の無線充電モジュールをさらに含む、ことを特徴とする請求項１に記載の温度表示付きの無線充電装置。
【請求項７】
湿度検出モジュールがさらに設けられ、  前記湿度検出モジュールは、前記回路基板に電気的に接続される、ことを特徴とする請求項１に記載の温度表示付きの無線充電装置。
【請求項８】
前記温度検出モジュールは、ベースに設けられる、ことを特徴とする請求項１に記載の温度表示付きの無線充電装置。    
【考案の詳細な説明】
【技術分野】
【０００１】  本実用新案は、デジタル製品分野に関し、特に温度表示付きの無線充電装置に関する。
【背景技術】
【０００２】  無線充電技術の継続的な発展に伴い、各種類の無線充電製品が市場に登場しているが、それらの機能は、比較的単一であり、スマート機器充電にのみ用いる。【０００３】  本実用新案の実施例が解決しようとする技術的課題は、無線充電装置の単一機能の技術的問題を解決するために温度表示付きの無線充電装置を提供する。
【考案の概要】
【考案が解決しようとする課題】
【０００４】  上記の技術的問題を解決するために、本実用新案の実施例は、電源アセンブリが設けられるベースと、無線充電アセンブリと、表示画面と、ベースに設けられた回路基板と、温度検出モジュールとを含み、前記表示画面と温度検出モジュールは、それぞれ回路基板に電気的に接続され、前記無線充電アセンブリと回路基板は、それぞれ電源アセンブリに電気的に接続される温度表示付きの無線充電装置を提供する。【０００５】  更には、前記温度表示付きの無線充電装置は、ベースに設けられるスマートフォン充電ブラケットをさらに含み、前記無線充電アセンブリは、スマートフォン充電ブラケット内に設けられる第１の無線充電モジュールを含む。【０００６】  更には、前記スマートフォン充電ブラケットは、前記ベースに斜めに設置され、前記ベースには、スマートフォン充電ブラケット前端に位置する滑り止め溝が設けられる。【０００７】  更には、前記表示画面は、前記スマートフォン充電ブラケットに設けられ、前記スマートフォン充電ブラケットには、取付溝が設けられ、前記温度表示の無線充電装置は、取付溝に固定されたレンズをさらに含み、前記表示画面は、前記取付溝に固定されレンズの内側に位置する。【０００８】  更には、前記スマートフォン充電ブラケットには、スマートウォッチ充電カードスロットがさらに設けられる。【０００９】  更には、前記温度表示付きの無線充電装置は、ベースに設けられる第２の無線充電モジュールをさらに含む。【００１０】  更には、湿度検出モジュールがさらに設けられ、前記湿度検出モジュールは、前記回路基板に電気的に接続される。【００１１】  更には、前記温度検出モジュールは、ベースに設けられる。【００１２】  本実用新案の実施例は、温度表示付きの無線充電装置を提出することにより、無線充電アセンブリによりスマート機器を充電するとともに、温度検出モジュールにより外部の温度を検出し、表示画面により温度を表示する。無線充電装置を温度検出モジュール及び表示画面と組み合わせる技術的手段を用いることにより、温度表示付きの無線充電装置の単一機能の技術的問題が克服され、スマート機器を無線充電することもでき、外部温度を表示することもできる技術的効果が達成される。【００１３】  更には、湿度検出モジュールにより外気の湿度を検出することにより、湿度データを表示画面に表示する。【００１４】  図面と具体的な実施例を参照して、本実用新案を以下にさらに説明する。
【図面の簡単な説明】
【００１５】
【図１】図１は、本実用新案における温度表示付きの無線充電装置の斜視図である。
【図２】図２は、本実用新案における温度表示付きの無線充電装置の表示画面の取付図である。
【考案を実施するための形態】
【００１６】  本実用新案の技術的内容を十分に理解するために、概念図を参照して本実用新案の技術案を以下にさらに紹介及び説明するが、これに限定されてない。
【００１７】  本実用新案の実施例において、方向指示（例えば、上、下、左、右、前、後等）がある場合、ある特定の姿勢（図面に示したように）での各部材間の相対位置の関係、動き状況等を解釈するためにのみ用い、この特定の姿勢が変化すると、この方向指示も相応的に変化する。
【００１８】  また、本実用新案において、“第１”、“第２”等に関する記載は、説明の目的のみに用い、相対的な重要性を指示または示唆する、または示された技術的特徴の数を暗黙的に明示すると理解することはできない。したがって、「第１」および「第２」で限定された機能には、少なくとも１つの特徴が明示的または暗黙的に含まれる場合がある。
【００１９】  図１に示したように、温度表示付きの無線充電装置１０は、電源アセンブリ（図示略）が設けられるベース１と、無線充電アセンブリ（図示略）と、表示画面２と、ベース１に設けられた回路基板（図示略）と、温度検出モジュール（図示略）とを含む。表示画面２と温度検出モジュールは、それぞれ回路基板に電気的に接続され、無線充電アセンブリと回路基板は、それぞれ電源アセンブリに電気的に接続され、温度検出モジュールは、ベース１に設けられる。
【００２０】  好ましくは、温度表示付きの無線充電装置１０は、ベース１に設けられるスマートフォン充電ブラケット３をさらに含み、無線充電アセンブリは、スマートフォン充電ブラケット３内に設けられる第１の無線充電モジュール（図示略）を含む。
【００２１】  好ましくは、スマートフォン充電ブラケット３は、ベース１に斜めに設置され、ベース１には、スマートフォン充電ブラケット３前端に位置する滑り止め溝１１が設けられ、スマートフォンを温度表示付きの無線充電装置１０に置いて充電する時、スマートフォンの底部が滑り止め溝１１の内壁に当てて止められ、充電過程においてスマートフォンが滑り落ちることが回避され、充電しながらスマートフォンを用いることに適用する。
【００２２】  図２に示したように、スマートフォン充電ブラケット３には、スマートウォッチ充電カードスロット３２１がさらに設けられ、スマートウォッチをカードスロット３２１内に挿入するだけで無線充電することができる。本実施例において、スマートフォン充電ブラケット３は、本体３１及び水平に設置される延伸部３２を含み、カードスロット３２１が延伸部３２に設置される。
【００２３】  好ましくは、表示画面２は、スマートフォン充電ブラケット３の延伸部３２に設けられ、表示画面２は、カードスロット３２１と本体３１との間に位置する。充電ブラケットの延伸部３２には、取付溝３２２が設けられ、温度表示の無線充電装置１０は、取付溝３２２に固定されたレンズ４をさらに含み、表示画面２は、取付溝３２２に固定されレンズ４の内側に位置することにより、表示画面２が保護される。
【００２４】  好ましくは、温度表示付きの無線充電装置１０は、ベース１に設けられる第２の無線充電モジュール（図示略）をさらに含み、第２の無線充電モジュールによりタブレットＰＣ、Ｂｌｕｅｔｏｏｔｈヘッドホン等のスマート機器を無線充電する。ベース１には第２の無線充電モジュール上方に位置する無線充電領域５が設けられる。
【００２５】  好ましくは、温度表示付きの無線充電装置１０には、湿度検出モジュール（図示略）がさらに設けられ、湿度検出モジュールは回路基板に電気的に接続され、表示画面２により湿度データを表示画面２に表示する。
【００２６】  温度表示付きの無線充電装置１０は、無線充電アセンブリによりスマート機器を充電するとともに、温度検出モジュールにより外部の温度を検出し、表示画面２により温度を表示する。温度検出モジュールは、外部温度を検出しながら温度表示付きの無線充電装置１０が使用状態での温度を検出することもでき、温度表示付きの無線充電装置１０が発熱により故障を招くことが回避され、温度表示付きの無線充電装置１０の安全性能を向上させる。無線充電装置１０を温度検出モジュール及び表示画面２と組み合わせる技術的手段を用いることにより、温度表示付きの無線充電装置１０の単一機能のの技術的問題が克服され、スマート機器を無線充電することもでき、外部温度を表示することもできる技術的効果が達成される。
【００２７】  一つの実施態様として、スマートフォン充電ブラケットとベースとが回動可能に接続され、温度表示付きの無線充電装置は、スマートフォン充電ブラケットの角度を調整するための調整アセンブリ、及びラッチアセンブリをさらに含む。
【００２８】  １つの実施態様として、温度検出モジュールが、スマートフォンブラケットに選択的に設置されてもよく、温度検出モジュールがスマートフォン表面の温度を検出してもよく、スマートフォンを無線充電する時、温度が高すぎることによる危険の発生を防止する。
【００２９】  本実用新案の実施例を示して説明してきたが、当業者にとっては、本実用新案の原理および精神から逸脱しない場合、これらの実施例に様々な変化、補正、置換、変形を追加可能とすると理解でき、本実用新案の範囲は、添付の特許請求の範囲およびそれらの均等物によって限定される。
【符号の説明】
【００３０】１０  無線充電装置１  ベース１１  滑り止め溝２  表示画面３  スマートフォン充電ブラケット３１  本体３２  延伸部３２１  カードスロット３２２  取付溝４  レンズ５  無線充電領域
【図１】
0003228973.tif 000003
【図２】
0003228973.tif 000004